(57)【特許請求の範囲】
【請求項１】
楽曲投稿サーバー装置を含んで構成された投稿楽曲選曲システムであって、
前記楽曲投稿サーバー装置は、選曲装置、及び、カラオケ装置と通信可能であり、
投稿ユーザーは、
投稿楽曲に対応し、公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、前記カラオケ装置に対して前記カラオケ楽曲情報の再生を指示可能とする選曲処理と、を実行することを特徴とする
投稿楽曲選曲システム。
【請求項２】
前記評価判定処理で判定する評価は、前記公開楽曲情報の再生回数を含むことを特徴とする
請求項１に記載の投稿楽曲選曲システム。
【請求項３】
前記評価判定処理で判定する評価は、ユーザーが前記公開楽曲情報に対して行った情報を含むことを特徴とする
請求項１または請求項２に記載の投稿楽曲選曲システム。
【請求項４】
前記公開サーバー装置は、マークアップ言語を使用して前記公開楽曲情報の公開、前記評価判定処理による評価を表示し、
前記楽曲投稿サーバー装置で実行される前記対応付け処理は、前記マークアップ言語で規定された項目を使用して、前記カラオケ楽曲情報に対応する前記公開楽曲情報の特定、並びに、前記公開楽曲情報に対する評価の特定を行うことを特徴とする
請求項１から請求項３の何れか１項に記載の投稿楽曲選曲システム。
【請求項５】
楽曲投稿サーバー装置、カラオケ装置と通信可能な選曲装置で実行される投稿楽曲選曲プログラムであって、
投稿ユーザーは、
投稿楽曲に対応し、公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、前記カラオケ装置に対して前記カラオケ楽曲情報の再生を指示可能とする選曲処理と、を実行することを特徴とする
投稿楽曲選曲プログラム。
【請求項６】
選曲装置を使用して、楽曲投稿サーバー装置に投稿されたカラオケ楽曲情報を選曲する投稿楽曲選曲方法であって、
投稿ユーザーは、
投稿楽曲に対応し、公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、カラオケ装置に対して前記カラオケ楽曲情報の再生を指示可能とする選曲処理と、を実行することを特徴とする
投稿楽曲選曲方法。
【請求項７】
選曲装置、及び、カラオケ装置と通信可能であり、投稿されたカラオケ楽曲情報をカラオケ装置に配信する楽曲投稿サーバー装置であって、
投稿ユーザーは、
投稿楽曲に対応し、公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、
前記カラオケ楽曲情報に対応付けられた評価を前記カラオケ楽曲情報に対応付けて前記選曲装置に表示し、前記カラオケ楽曲情報の再生を受け付ける選曲受付処理と、を実行することを特徴とする
楽曲投稿サーバー装置。
【発明の詳細な説明】
【技術分野】
【０００１】
本発明は、ユーザーによって投稿された楽曲を選曲する投稿楽曲選曲システム、投稿楽曲選曲プログラム、投稿楽曲選曲方法及び楽曲投稿サーバー装置に関する。
【背景技術】
【０００２】
インターネットの普及・拡大により、メディア制作者のみならず一般のユーザーによって投稿された映像が人気を集めている。ところで、このような投稿の場では、映像のみならず、自分で作成した楽曲を投稿し、インターネットを介してユーザーに広く聞いて貰うことが可能である。このような投稿サービスでは、デビューするためレコード会社に自己の作品を持ち込むといったプロセスを踏むことなく、多数のユーザーに自分の作品を聞いて貰うことが可能である。
【０００３】
特許文献１には、アマチュアアーティストが生成した楽曲がカラオケで演奏された場合、その演奏回数に応じてアマチュアアーティストに所定の報奨を支払う楽曲配信システムが開示されている。このようにアマチュアアーティストに対して演奏回数に応じた報酬を支払うことで、アマチュアアーティストの楽曲生成の意欲を向上させることが可能となる。
【先行技術文献】
【特許文献】
【０００４】
【特許文献１】特開２０１５−３８５９１号公報
【発明の概要】
【発明が解決しようとする課題】
【０００５】
ところで、特許文献１に開示される楽曲配信システムは、アマチュアアーティストの中から優秀なアーティストを発掘する場として有効と考えられる。しかしながら無名のアマチュアーティストの場合、たとえ優れた楽曲を投稿していたとしても、それが多くのユーザーに知られるには時間がかかることが考えられる。また、多数の自作曲が投稿される中、あまり再生されないまま投稿による公開される期間が終了してしまうことも考えられる。
【０００６】
本発明はこのような状況を鑑みたものであって、アマチュアアーティスト等によって投稿された投稿楽曲の利用機会の向上を図ることを目的としており、特に、カラオケ装置を使用してユーザーが積極的に投稿楽曲を利用（選曲）して貰うことを目的としている。
【課題を解決するための手段】
【０００７】
そのため、本発明に係る投稿楽曲選曲システムは、以下の構成を採用する。
楽曲投稿サーバー装置を含んで構成された投稿楽曲選曲システムであって、
前記楽曲投稿サーバー装置は、選曲装置、及び、カラオケ装置と通信可能であり、
投稿ユーザーは、
投稿楽曲に対応し、公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、前記カラオケ装置に対して前記カラオケ楽曲情報の再生を指示可能とする選曲処理と、を実行することを特徴とする
投稿楽曲選曲システム。
【０００８】
さらに本発明に係る投稿楽曲選曲システムにおいて、
前記評価判定処理で判定する評価は、前記公開楽曲情報の再生回数を含むことを特徴とする。
【０００９】
さらに本発明に係る投稿楽曲選曲システムにおいて、
前記評価判定処理で判定する評価は、ユーザーが前記公開楽曲情報に対して行った情報を含むことを特徴とする。
【００１０】
さらに本発明に係る投稿楽曲選曲システムにおいて、
前記公開サーバー装置は、マークアップ言語を使用して前記公開楽曲情報の公開、前記評価判定処理による評価を表示し、
前記楽曲投稿サーバー装置で実行される前記対応付け処理は、前記マークアップ言語で規定された項目を使用して、前記カラオケ楽曲情報に対応する前記公開楽曲情報の特定、並びに、前記公開楽曲情報に対する評価の特定を行うことを特徴とする。
【００１１】
また本発明に係る投稿楽曲選曲プログラムは、
楽曲投稿サーバー装置、カラオケ装置と通信可能な選曲装置で実行される投稿楽曲選曲プログラムであって、
投稿ユーザーは、
投稿楽曲に対応し、公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、前記カラオケ装置に対して前記カラオケ楽曲情報の再生を指示可能とする選曲処理と、を実行することを特徴とする。
【００１２】
また本発明に係る投稿楽曲選曲方法は、
選曲装置を使用して、楽曲投稿サーバー装置に投稿されたカラオケ楽曲情報を選曲する投稿楽曲選曲方法であって、
投稿ユーザーは、
投稿楽曲に対応し、公開楽曲情報を公開サーバー装置で公開する公開処理と、
前記公開処理で公開する投稿楽曲に対応するカラオケ楽曲情報を楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、を実行し、
前記選曲装置は、
前記対応付け処理で前記カラオケ楽曲情報に対応付けられた評価を前記カラオケ楽曲情報に対応付けて表示し、カラオケ装置に対して前記カラオケ楽曲情報の再生を指示可能とする選曲処理と、を実行することを特徴とする。
【００１３】
また本発明に係る楽曲投稿サーバー装置は、
選曲装置、及び、カラオケ装置と通信可能であり、投稿されたカラオケ楽曲情報をカラオケ装置に配信する楽曲投稿サーバー装置であって、
投稿ユーザーは、
投稿楽曲に対応し、公開楽曲情報を公開サーバー装置で公開する公開処理と、
前記公開処理で公開する投稿楽曲に対応するカラオケ楽曲情報を前記楽曲投稿サーバー装置に投稿する投稿処理と、を行い、
前記公開サーバー装置は、
公開された前記公開楽曲情報に対する評価を判定する評価判定処理を実行し、
前記楽曲投稿サーバー装置は、
前記公開楽曲情報に対する評価を、当該公開楽曲情報に対応する前記カラオケ楽曲情報に対応付ける対応付け処理と、
前記カラオケ楽曲情報に対応付けられた評価を前記カラオケ楽曲情報に対応付けて前記選曲装置に表示し、前記カラオケ楽曲情報の再生を受け付ける選曲受付処理と、を実行することを特徴とする。
【発明の効果】
【００１４】
本発明に係る投稿楽曲選曲システム、投稿楽曲選曲プログラム、投稿楽曲選曲方法並びに楽曲投稿サーバー装置によれば、カラオケ装置に配信される投稿楽曲をカラオケ装置のみを使用してユーザーに認知させるのみならず、公開サーバー装置を利用してユーザーに広く認知させることが可能である。また、カラオケ装置に対して投稿楽曲の選曲を行う際、公開サーバー装置で行われた投稿楽曲に対する評価を参照することが可能であるため、公開サーバー装置で人気を集めた投稿楽曲等を容易に選曲することが可能となっている。
【００１５】
さらに本発明に係る投稿楽曲選曲システム、投稿楽曲選曲プログラム、投稿楽曲選曲方法並びに楽曲投稿サーバー装置において、評価判定処理で判定する評価は、公開楽曲情報の再生回数を含むこととしている。このような構成により、カラオケ装置に対して投稿楽曲の選曲を行うユーザーは、公開サーバー装置で再生回数の多い楽曲を参照し、人気のある投稿楽曲を容易に選曲することが可能となる。また、公開サーバー装置での再生回数を使用して、投稿楽曲をソートすることも可能であり、ユーザーに対してランキング形式で投稿楽曲を推奨することも可能である。
【００１６】
さらに本発明に係る投稿楽曲選曲システム、投稿楽曲選曲プログラム、投稿楽曲選曲方法並びに楽曲投稿サーバー装置において、評価判定処理で判定する評価は、ユーザーが前記公開楽曲情報に対して行った情報を含むこととしている。このような構成により、カラオケ装置に対して投稿楽曲の選曲を行うユーザーは、投稿楽曲に対するユーザーの主体的な評価を参照し、投稿楽曲を選曲することが可能となる。
【００１７】
さらに本発明に係る投稿楽曲選曲システム、投稿楽曲選曲プログラム、投稿楽曲選曲方法並びに楽曲投稿サーバー装置では、公開楽曲情報に付された関連情報に基づいて、前記公開楽曲情報に対応する評価を前記カラオケ楽曲情報に対応付けることとしている。このような構成により、公開サーバー装置で公開された投稿楽曲（公開楽曲情報）に対する評価を、投稿サーバー装置に投稿された投稿楽曲（カラオケ楽曲情報）に精度よく対応させることが可能となる。
【図面の簡単な説明】
【００１８】
【図１】投稿楽曲選曲システムの構成を示す図
【図２】カラオケシステムの構成を示す図
【図３】公開動画情報、カラオケ楽曲情報のデータ構成を示す図
【図４】投稿ユーザーによるコンテンツのアップロードを説明するための図
【図５】パーソナルコンピュータに表示された動画公開サイトの動画選択画面
【図６】パーソナルコンピュータに表示された動画公開サイトの動画視聴画面
【図７】評価情報の取得、対応付け、表示に関する処理を説明するための図
【図８】対応付け処理を示すフロー図
【図９】リモコン装置に表示されるトップ画面を示す図
【図１０】リモコン装置に表示される投稿楽曲（カラオケ楽曲情報）の選曲画面を示す図
【図１１】リモコン装置に表示される楽曲確認画面を示す図
【図１２】他の実施形態に係る公開・投稿処理のフロー図
【発明を実施するための形態】
【００１９】
図１は、本実施形態に係る投稿楽曲選曲システムの構成を示す図である。本実施形態の投稿楽曲選曲システムは、投稿ユーザーによって投稿されたカラオケ楽曲情報を選曲するシステムである。投稿楽曲選曲システムの構成には、投稿されたカラオケ楽曲情報を管理する楽曲投稿サーバー装置８２と、カラオケボックスやスナックなどカラオケ店舗に配置されたカラオケ装置２ａ〜２ｃ…（以下、符号「２」を使用する）を含んで構成されている。楽曲投稿サーバー装置８２は、これらカラオケ装置２、並びに、ユーザー端末（パーソナルコンピュータ６ａ、６ｂ、スマートホンやタブレット端末等の各種携帯情報端末７）とインターネットなどのネットワーク網を介して通信することが可能である。楽曲投稿サーバー装置８２は、ユーザー端末から投稿されたカラオケ楽曲情報を受信し、カラオケ装置２に配信する。カラオケ装置２を使用する歌唱ユーザーは、投稿されたカラオケ楽曲情報をカラオケ装置２で演奏することで歌唱を行うことができる。投稿楽曲選曲システムは通信カラオケシステム（以下、カラオケシステム）としても構成されている。
【００２０】
また、投稿楽曲選曲システムは、本発明の構成ではない外部構成として、公開サーバー装置８１が存在することを前提としている。この公開サーバー装置８１は、楽曲投稿サーバー装置８２とは別の業者によって管理されるサーバー装置である。公開サーバー装置８１は、ユーザー端末（第１通信端末）から投稿された公開動画情報を受信し、ユーザー端末（第２通信端末）で視聴可能となるように公開する機能を有する。
【００２１】
図２には、本発明の実施形態に係る楽曲投稿サーバー装置８２の構成が示されている。楽曲投稿サーバー装置８２は、いわゆるコンピュータ装置であって、ＣＰＵやＲＯＭ、ＲＡＭなどで構成され、各種プログラムを実行可能な制御手段８２１と、ハードディスクなどの記憶手段８２２、前述したユーザー端末やカラオケ装置２と通信を行う通信手段８２３を備えて構成されている。通信手段８２３は、ルータ９２を介してネットワーク網に接続され、各種ユーザー端末やカラオケ装置２と通信可能となっている。ユーザー端末中、スマートホン等の携帯端末６は、携帯電話通信網用、あるいは、無線ＬＡＮ用の無線通信装置５を介して無線でネットワーク網にアクセスすることが可能である。
【００２２】
本実施形態の楽曲配信システム中の楽曲投稿サーバー装置８２は、このような構成により、ユーザー端末（第１通信端末）から投稿されたカラオケ楽曲情報を受信して記憶手段３８に記憶させる受信処理、記憶したカラオケ楽曲情報をカラオケ店舗側に設置されたカラオケ装置２に配信する配信処理を実行可能としている。
【００２３】
ところで、アマチュアアーティストは、自作した楽曲を広くユーザーに知って貰うため、複数のサイトに投稿することがある。例えば、図１に示すように公開サーバー装置８１に自作した楽曲を公開動画情報として公開サーバー装置８１に投稿するとともに、同楽曲がカラオケ装置２で歌唱できるようにカラオケ楽曲情報として楽曲投稿サーバー装置８２に投稿することが考えられる。本実施形態は、公開サーバー装置８１による公開動画情報の公開に対して行われた評価を、カラオケ装置２においてカラオケ楽曲情報を選曲する際に閲覧可能とすることで、カラオケ楽曲情報の選曲を容易にすることを目的としている。
【００２４】
図２は、投稿楽曲情報の配信対象となるカラオケシステムの構成を示す図である。本実施形態におけるカラオケシステムは、カラオケ装置２（別称「コマンダ」ともいう）とリモコン装置１を有して構成されている。カラオケ装置２は、ＬＡＮ１００で構築されたネットワークを介して通信接続されている。また、カラオケ装置２を遠隔操作するためのリモコン装置１は、ＬＡＮ１００に接続されたアクセスポイント１３０を介して同ネットワークに通信接続されている。カラオケ装置２とリモコン装置１ａ、１ｂはネットワークを介して互いに通信可能となっている。なお、図２は、１台のカラオケ装置２に対して、リモコン装置１ａとリモコン装置１ｂ、２台のリモコン装置１が使用された例が示されている。これらリモコン装置１ａ、１ｂの構成は同一であるため、リモコン装置１として説明を行う。
【００２５】
カラオケボックスなどの店舗に設置されるカラオケ装置２は、楽曲を再生するための再生手段として音響制御部２５を備えている。また、カラオケ装置２は、ユーザーからの各種入力を受け付けるスイッチなどで構成されるカラオケ装置側入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのハードディスク３２を備える。カラオケ装置２は、ＬＡＮ１００に接続してネットワークに加入するためのカラオケ装置側通信手段としてのＬＡＮ通信部２４を備えている。
【００２６】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果付与などを実行する映像制御部３１を備えて構成される。
【００２７】
さらに、このカラオケ装置２では、外部に接続されたモニタ４１以外に、タッチパネルモニタ３３に対して各種情報を表示することを可能としている。タッチパネルモニタ３３は、映像制御部３１から入力された映像情報を表示する表示部３５と、タッチ入力された位置を操作処理部２２に出力するタッチパネル３４が重畳されて構成されている。
【００２８】
本実施形態では、このタッチパネルモニタ３３に対して、外部に接続されたタッチパネルモニタ３３と同様、再生されている楽曲の歌詞表示を行うことが可能となっている。その際、モニタ４１と同一画面の歌詞表示を行うこととしてもよいが、タッチパネルモニタ３３は、モニタ４１と比較して小さい画面であるため、歌詞文字を大きく表示する、あるいは、背景映像を使用しないなど、モニタ４１とは異なる形態で歌詞表示を行うこととしてもよい。
【００２９】
さらに、本実施形態のタッチパネルモニタ３３は、リモコン装置１の操作手段と同様の操作手段として機能することも可能となっている。ユーザーはタッチパネルモニタ３３から楽曲を選択して、直接カラオケ装置２に予約をさせるなど、リモコン装置１と同等の操作手段機能を利用することが可能である。前述した歌詞表示機能と、この操作手段機能との切り替えは、カラオケ装置２のフロントパネルに配置された操作部２１に対し所定の操作を行うことで切り替えられる。また、カラオケ装置２における楽曲再生時には、歌詞表示機能に自動で切り替えることとしてもよい。なお、再生中であってタッチパネルモニタ３３に歌詞表示されている場合においても、操作部２１の操作にて操作手段機能に切り替えることも可能である。
【００３０】
さらに、カラオケ装置２は、各構成を統括して制御するためのカラオケ装置側制御手段として、ＣＰＵにて構成される制御部３０、各種プログラムを実行するにあたって必要となる情報を一時記憶するためのメモリ２７を備えて構成される。
【００３１】
このような構成にてカラオケ装置２は、各種処理を実行することとなるが、カラオケ装置２の主な機能として、楽曲予約処理、楽曲再生処理などを実行可能としている。楽曲予約処理は、ユーザーからの指定に基づいて楽曲を指定、予約するための処理であってリモコン装置１と連携して実行される。リモコン装置１から送信された予約情報をメモリ２７に記憶する予約テーブルに登録する。なお、本実施形態では、ユーザーが所持する携帯端末６を使用した楽曲予約処理も可能である。楽曲再生処理は、予約された楽曲を再生させる処理であって、演奏処理と歌詞再生処理とが同期して実行される処理である。
【００３２】
演奏処理は、カラオケ楽曲情報に含まれる演奏情報を音響制御部２５にて演奏させる処理である。音響制御部２５にて演奏された楽曲は、マイクロホン４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００３３】
一方、リモコン装置１は、予約情報などカラオケ装置２に対して各種指示を送信するとともに、カラオケ装置２あるいはインターネット上に接続されたサーバー装置から各種情報を受信する。リモコン装置１は、リモコン側表示手段としての表示部１１と、ユーザーからの各種入力を受け付けるリモコン側入力手段としての操作部１７とを備える。また、リモコン装置１は、アクセスポイント１３０に無線接続し、ネットワークに加入するためのリモコン側通信手段としての無線ＬＡＮ通信部１６を備える。
【００３４】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００３５】
また、リモコン装置１は、無線ＬＡＮ通信部１６によって、アクセスポイント１３０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３６】
このようなリモコン装置１の構成により、ユーザーからの各種入力を操作部１７にて受付けるとともに、映像情報を表示部１１に表示してユーザーに対して各種情報を提供するとともに、カラオケ装置２に対して楽曲予約などの各種指示を送信することが可能とされている。
【００３７】
図３は、本発明の実施形態に係る公開動画情報、カラオケ楽曲情報のデータ構成を示す図である。公開サーバー装置８１に投稿され、ユーザー端末等で視聴可能となるように公開される公開動画情報は、公開動画情報の属性を規定するメタ情報と、再生の対象となる実情報を含んで構成されている。本実施形態のメタ情報は、公開者名、動画タイトルを含んで構成されている。また、実情報には映像情報と音声情報が含まれている。
【００３８】
一方、楽曲投稿サーバー装置８２に投稿され、カラオケ装置２で再生可能となるカラオケ楽曲情報は、そのメタ情報として投稿者名、楽曲名、歌手名、ジャンル、投稿者の活動地域等を含んで構成されている。また、実情報としては、音響制御部２５で演奏される演奏情報、映像再生部２９で再生される背景映像情報、歌詞情報等を含んで構成されている。本実施形態では、投稿ユーザーが公開サーバー装置８１に対して、ある楽曲の公開動画情報（本発明の「公開楽曲情報」に相当）を投稿して公開する（公開処理）と共に、楽曲投稿サーバー装置８２に対して同じ楽曲のカラオケ楽曲情報を投稿する（投稿処理）ことを前提としている。その場合、公開動画情報中の音声情報と、カラオケ楽曲情報中の演奏情報は同じ楽曲に関する演奏を収録した情報となる。なお、公開動画情報中の音声情報と、カラオケ楽曲情報中の演奏情報は厳密に一致する必要は無く、例えば、公開動画情報中の音声情報には歌唱されたボーカル音を含むこととしてもよい。また、公開動画情報中の映像情報とカラオケ楽曲情報中の背景映像情報も、一致している必要は無く、別の映像であってもよい。例えば、公開動画情報中の映像情報に歌詞を表示させた形態としてもよい。
【００３９】
図４は、投稿ユーザーによるコンテンツのアップロードを説明するための図である。本実施形態では、投稿ユーザーは、作成した楽曲のコンテンツとして、公開動画情報を公開サーバー装置８１に投稿し、カラオケ楽曲情報を楽曲投稿サーバー装置８２に投稿することを前提としている。投稿ユーザーによって作成（Ｓ１０１）されたコンテンツとしての公開動画情報は、公開サーバー装置８１に送信される。
【００４０】
一方、投稿ユーザーによって作成（Ｓ１０１）されたコンテンツとしてのカラオケ楽曲情報は、楽曲投稿サーバー装置８２に送信され、記憶手段８２２に記憶される。なお、本実施形態では、公開動画情報とカラオケ楽曲情報を対応付ける必要があるため、両情報間のメタ情報の一部を共用している。本実施形態では,公開動画情報中の公開者名とカラオケ楽曲情報中の投稿者名（あるいは歌手名）を共用し、公開動画情報中の動画タイトルをカラオケ楽曲情報中の楽曲名と共用する。このようにメタ情報の一部を共用することで、楽曲投稿サーバー装置８２は、管理するカラオケ楽曲情報に対応する公開動画情報を特定することが可能となっている。
【００４１】
また、楽曲投稿サーバー装置８２に投稿されたカラオケ楽曲情報には、カラオケシステムにおいて選曲を可能とするため、カラオケシステム独自体系の識別情報（楽曲番号等）が付与される（Ｓ２０１）。識別情報が付与されたカラオケ楽曲情報は、記憶手段８２２に記憶管理され、カラオケシステムに配信される（Ｓ２０２）。カラオケ楽曲情報の配信形態としては、選曲が行われる前に事前にカラオケ装置２のハードディスク３２に事前に配信しておく形態の他、選曲が行われた際にストリーム形式で配信する等、各種形態を採用することが可能である。
【００４２】
このように本実施形態では、投稿ユーザーが作成したオリジナル楽曲等のコンテンツについて、その公開動画情報を公開サーバー装置８１に投稿し、カラオケシステムで歌唱するためのカラオケ楽曲情報を楽曲投稿サーバー装置８２に投稿することとしている。特に、両情報間でメタ情報の一部を共用することで、楽曲投稿サーバー装置８２は、管理しているカラオケ楽曲情報に対応する公開動画情報を特定し、さらに、公開動画情報に対する評価を取得することが可能となっている点について、以下に説明する。まず、パーソナルコンピュータ上での動画公開サイトの閲覧、並びに、公開動画情報に対する評価について説明する。
【００４３】
図５には、パーソナルコンピュータ６ｂに表示された動画公開サイトの動画選択画面を示した図である。動画公開サイト（動画公開サイトＡＢＣ）は、公開サーバー装置８１にて提供されるＷｅｂサイトであって、ユーザーはこの動画選択画面で視聴する公開動画情報を選択することが可能である。ＰＣ表示ウィンドウ７１内には、検索ワード入力欄７１ａが設けられ、所望の検索ワードを入力することで、公開動画情報を検索することが可能である。また、動画公開サイト側で選定した公開動画情報について、動画タイトル７１ｂ、公開者名７１ｃ、サムネイル画像７１ｅ、評価情報の１つである再生回数７１ｄが提示されている。サムネイル画像７１ｅを選択することで、それに対応する公開動画情報を再生することが可能である。
【００４４】
図６は、動画公開サイトの動画視聴画面を示した図である。動画選択画面等を使用して公開動画情報が選択された場合、この動画視聴画面において公開動画情報が再生される。再生時、映像表示欄７１ｆには、公開動画情報中の映像情報が再生される。また、音声情報もパーソナルコンピュータに接続されたスピーカーから放音される。動画視聴画面には、再生ツール７１ｇが設けられており、一時停止、巻き戻し、早送り、音量調整といった再生に関する各種操作を行うことが可能となっている。また、公開情報欄７１ｈには、公開動画情報のメタ情報に規定された公開者名、動画タイトル、投稿日等が表示される。
【００４５】
また、本実施形態では再生中の公開動画情報に対する評価情報７１ｉが表示される。本実施形態の評価情報としては、公開動画情報の再生回数７１ｊ、視聴ユーザーによる段階評価７１ｋ、視聴ユーザーによるコメントを入力するコメント欄７１ｍが設けられている。再生回数７１ｊは、公開動画情報が再生された回数であり、この再生回数が多い程、公開動画情報の人気（評価）は高いと推定される。本実施形態の段階評価７１ｋは、２段階評価であり、親指を上げた「よい」を示すアイコン、親指を下げた「悪い」を示すアイコンが表示され、その側にはそれぞれの数が表示されている。公開動画情報を視聴した視聴ユーザーは、このアイコンを操作することで、公開動画情報を評価することが可能である。なお、段階評価７１ｋには、このような２段階のみならず、３段階以上の評価形式としてもよい。コメント欄７１ｍには、コメントを追加することが可能であるとともに、これまでに行われたコメントが表示される。ユーザーは、これらの評価情報７１ｉを公開動画情報の視聴の参考にすることが可能となっている。公開サーバー装置８１は、公開動画情報を再生可能に公開すると共に、その再生回数をカウントする、あるいは、段階評価７１ｋやコメント欄７１ｍによるコメントの受付といった評価判定処理を実行する。
【００４６】
なお、動画公開サイトでＷｅｂ画面に表示される、公開者名、動画タイトル、投稿日、評価情報などの各種情報は、ＨＴＭＬ、ＸＭＬ等のマークアップ言語を使用して記載されている。楽曲投稿サーバー装置８２は、ＷｅｂブラウザなどのＷｅｂ画面表示された情報を取得する手段として、既知のＷｅｂブラウザプログラムを記憶手段８２２に記憶している。楽曲投稿サーバー装置８２の制御手段８２１は、Ｗｅｂブラウザプログラムを実行し、マークアップ言語で規定されている所定項目（タグ等）を参照することで、動画公開サイトのＷｅｂ画面を介して表示された公開情報欄７１ｈ、評価情報７１ｉ中の各種情報を取得する。なお、楽曲投稿サーバー装置８２が、公開サーバー装置８１によって公開される動画公開サイトにネットワークを介してアクセスするため、動画公開サイトのアドレス情報（ＩＰアドレス、ドメイン名などであり、以下、「アドレス情報」と称す）を、投稿者がカラオケ楽曲情報の投稿時のメタ情報に含ませてもよい。あるいは、投稿者やカラオケ事業者などが、予め、動画公開サイトをアクセスするためのアドレス情報を、楽曲サーバー投稿装置８２に登録しておくこととしてもよい。
【００４７】
本実施形態では、公開サーバー装置８１において公開動画情報になされた評価を、カラオケシステムでのカラオケ楽曲情報の選曲に使用可能とするものである。例えば、公開サーバー上での評価が高いことを、カラオケシステムでアピールすることで、カラオケ楽曲情報の選曲に繋げることが可能となる。図７は、評価情報の取得、対応付け、表示に関する処理を説明するための図である。図４で説明したように、投稿ユーザーは、同じ楽曲を公開動画情報として公開サーバー装置８１に投稿するとともに、カラオケ楽曲情報として楽曲投稿サーバー装置８２に投稿することを前提としている。また、公開動画情報とカラオケ楽曲情報とはメタ情報の一部を共用しているため、カラオケ楽曲情報から対応する公開動画情報を特定することが可能である。楽曲投稿サーバー装置８２は、対応付け処理（Ｓ２１０）を実行することで、投稿されたカラオケ楽曲情報に対応する公開動画譲歩王を特定し、カラオケ楽曲情報に評価情報を対応付ける。
【００４８】
図８は、楽曲投稿サーバー装置８２で実行される対応付け処理（Ｓ２１０）を示すフロー図である。対応付け処理（Ｓ２１０）は、例えば、所定時間毎に実行される。対応付け処理（Ｓ２１０）が開始すると、楽曲投稿サーバー装置８２は、登録されたアドレス情報を基に公開サーバー装置８１にアクセスし（Ｓ２１１）、公開サーバー装置８１から適宜、Ｗｅｂ画面情報として表示された公開動画情報に関する公開動画リストを取得する（Ｓ２１２）。ここで公開動画リストとは、例えば、図６で説明した公開情報欄７１ｈ、評価情報７１ｉを含んで構成された動画視聴画面を形成するＨＴＭＬ、ＸＭＬ等のマークアップ言語を使用して記述された情報である。なお、取得対象となる公開動画情報は、ジャンルなどで絞り込んだ適宜範囲のものとされる。公開動画リストを取得する手段には、Ｗｅｂブラウザ等が使用される。
【００４９】
楽曲投稿サーバー装置８２は、取得した公開動画リスト中、記憶手段８２２で管理するカラオケ楽曲情報に対応する公開動画リストの有無を検索する。この検索は、取得した公開動画リスト中、マークアップ言語で規定されたメタ情報部分（公開者名、動画タイトル）に対応する項目を対象として検索を行う。このメタ情報部分にカラオケ楽曲情報のメタ情報（投稿者名、楽曲名）に一致するものが見つかった場合（Ｓ２１３：Ｙｅｓ）、当該公開動画リストを評価情報の取得対象とする。取得対象とされた公開動画リストについて、評価情報の取得状況を確認し、取得済みであるか未取得であるか、また、取得済みの場合には取得から所定期間経過しているか否かが判定される。未取得、取得から所定期間経過している場合（Ｓ２１４：Ｙｅｓ）には、公開動画リスト中、マークアップ言語で規定された評価情報７１ｉに対応する項目から評価情報７１ｉ（再生回数７１ｊ、段階評価７１ｋ、コメント欄７１ｍ内のコメント）を特定し、カラオケ楽曲情報に対応付ける（Ｓ２１５）。
【００５０】
このようにカラオケ楽曲情報に対応付けられた評価情報は、カラオケシステムにおいてカラオケ楽曲情報を選曲する際、閲覧可能な状態となる。カラオケシステムにおいてカラオケ楽曲情報を選曲するために閲覧する際（Ｓ１０２）、カラオケシステムは楽曲投稿サーバー装置８２にアクセスすることで、評価情報を合わせて表示する（Ｓ１０２）。カラオケシステムにおいて投稿されたカラオケ楽曲情報の選曲について、図９〜図１１を使用して説明する。
【００５１】
図９は、カラオケシステムにおいて選曲を行うリモコン装置１に表示されるトップ画面を示す図である。こでは、リモコン装置１で実行される選曲処理について説明する。事前にユーザー登録しているユーザーは、カラオケシステムを使用する際、リモコン装置１を使用してカラオケシステムにログインし、自己のユーザー情報を使用したサービスを受けることが可能である。本実施形態のカラオケシステムは、ユーザーがログインして使用することが可能である。ログインユーザー欄１０３には、カラオケシステムにログインしているユーザーの分身像１０３ａ〜１０３ｅ（本実施形態では顔部分）が表示される。またログインユーザー欄１０３中、右端に背景がハイライト（白色）で示されるユーザーは、アクティブユーザー１０３ｅ（この例ではＡさん）であって、アクティブユーザー１０３ｅに対するサービス、すなわち、アクティブユーザー１０３ｅのユーザー情報を利用したサービスが実行されている状態となっている。アクティブユーザーの切り替えは、ユーザー切り替えボタン１０１を操作することで行うことが可能である。また、ユーザー登録していないユーザーは、ゲストボタン１０２を操作することで、ゲストユーザーとしてカラオケシステムを使用することが可能である。
【００５２】
ユーザーは、このトップ画面上、メニュー表示欄に表示されたボタンを選択することで、利用したい機能を選択することが可能である。投稿されたカラオケ楽曲情報の選曲を行う場合、メニュー表示欄１０４中、投稿楽曲と表記されたボタンが選択される。図１０には、リモコン装置１に表示される投稿楽曲（カラオケ楽曲情報）の選曲画面が示されている。選曲画面には、各カラオケ楽曲情報に対応した選曲欄１０６が表示される。選曲欄１０６には、カラオケ楽曲関連情報１０６ａ、サムネイル画像１０６ｂ、評価表示欄１０６ｃが設けられている。カラオケ楽曲関連情報１０６ａは、カラオケ楽曲情報中のメタ情報に基づく情報であって、本実施形態では投稿者名、歌手名、楽曲名が表示されている。サムネイル画像１０６ｂは、カラオケ楽曲情報中の背景映像情報の一部を使用して表示される情報である。評価表示欄１０６ｃには、図７、図８で説明した公開サーバー装置８１へアクセスで取得し、カラオケ楽曲情報に対応付けた評価情報が表示されている。本実施形態では、図６の評価情報７１ｉ中、再生回数７１ｊ、段階評価７１ｋがそのまま表示される。また、「コメントリンク」と表記されたボタンを操作することで、コメント欄７１ｍに記載されたコメントを表示させることが可能である。ユーザーは、選曲欄１０６中、評価表示欄１０６ｃに表示された評価を参照して、カラオケ楽曲情報を選曲することが可能である。
【００５３】
また、選曲画面には、カラオケ楽曲情報を検索するための検索項目選択ボタン１０５が設けられている。本実施形態では、楽曲名または歌手名、ランキング、ジャンル、新着投稿といった項目でカラオケ楽曲情報を検索することが可能となっている。特にランキングの項目では、公開サーバー装置８１から取得した評価情報に基づくランキング形式でユーザーにカラオケ楽曲情報を提示することが可能となっている。ランキング形式としては、動画公開サイトの再生回数に基づくランキング、あるいは、段階評価に基づくランキングを使用してカラオケ楽曲情報の選曲を行うことが可能である。
【００５４】
選曲画面において、選曲欄１０６を選択操作する等して１のカラオケ楽曲情報が選択された場合、図１に示す楽曲確認画面が表示される。楽曲確認画面において、歌唱ユーザーはカラオケ楽曲関連情報１０７を参照して、歌唱する楽曲に間違いないかを確認することが可能である。この楽曲確認画面には、図１０の選曲画面と同様、評価表示欄１０８が設けられており、動画効果サイトでの評価を確認することが可能である。また、音程設定欄１０９を使用して、カラオケ楽曲情報を演奏する際の音程（キー）を設定することが可能となっている。音程設定欄１０９中の変更ボタンを操作することで、音程設定用の子画面が表示され、歌唱ユーザーは自分の音域に合わせた音程でカラオケ楽曲情報を演奏し、歌唱することが可能となる。カラオケ楽曲関連情報１０７、評価表示欄１０８を確認した歌唱ユーザーは、予約ボタン１１０を操作することで楽曲の予約を行う。リモコン装置１を使用した選曲では、リモコン装置１からカラオケ装置２に対して予約情報が送信される。予約情報には、カラオケ楽曲関連情報を指定するための識別情報、選曲したユーザーのユーザーＩＤ、音程設定値等が含まれている。予約情報を受信したカラオケ装置２は、予約リストに予約情報を加え、予約情報に基づいて順次、カラオケ楽曲情報の演奏を実行する。
【００５５】
このように本実施形態の投稿楽曲選曲システムでは、公開サーバー装置８１で公開された公開動画情報に対する評価を、当該公開動画情報に対応するカラオケ楽曲情報の選曲に使用することで、カラオケシステムで選曲を行うユーザーは評価を参考としてカラオケ楽曲情報の選曲を行うことが可能である。なお、本実施形態の投稿楽曲選曲システムは、前述する実施形態に限定されるものではなく、各種変形例を採用することが可能である。以下に、変形例を説明する。
【００５６】
前述の実施形態では、図４におけるコンテンツ（公開動画情報、カラオケ楽曲情報）のアップロード（公開処理、投稿処理）に特段、関連性を持たせていなかったが、公開動画情報とカラオケ楽曲情報の形成、アップロードを管理する専用プログラムを使用することとしてもよい。図１２は、他の実施形態であって、公開処理、投稿処理を同時に行うことを可能とした公開・投稿処理のフロー図である。投稿ユーザーは、公開動画情報、カラオケ楽曲情報の形成に必要なコンテンツ素材を入力する（Ｓ６０１：Ｙｅｓ）。そして、公開動画情報、カラオケ楽曲情報に関するメタ情報を入力する（Ｓ６０２：Ｙｅｓ）。公開動画情報、カラオケ楽曲情報は同じ楽曲に関する情報であるため、コンテンツ素材、メタ情報は共用することが可能である。例えば、コンテンツ素材について、公開動画情報中の音声情報とカラオケ楽曲情報中の演奏情報を共用すること、また、メタ情報について、公開者名（公開動画情報）と投稿者名（カラオケ楽曲情報）、動画タイトル（公開動画情報）と楽曲名（カラオケ楽曲情報）は共通の情報を使用することが可能である。特に、メタ情報を共通とすることで、楽曲投稿サーバー装置８２で実行する対応付け処理を行う際、カラオケ楽曲情報と対応する投稿動画情報を精度よく判定することが可能となる。
【００５７】
そして、コンテンツ素材、メタ情報使用して、公開サーバー装置８１に適した公開動画情報を形成する（Ｓ６０３）。形成された公開動画情報は公開サーバー装置８１に送信される（Ｓ６０４）。また、コンテンツ素材、メタ情報を使用して、楽曲投稿サーバー装置８２に適したカラオケ楽曲情報を形成する（Ｓ６０５）。形成されたカラオケ楽曲情報は楽曲投稿サーバー装置８２に送信される（Ｓ６０６）。このような専用プログラムを使用することで、投稿ユーザーは同じ投稿楽曲について公開動画情報、カラオケ楽曲情報を容易に形成し、投稿することが可能となる。
【００５８】
前述の実施形態では、カラオケシステム中のリモコン装置１を使用した選曲形態としていた。このような選曲形態以外に、ユーザーが所持するスマートホン等の携帯端末を使用することが考えられる。カラオケ店舗に来店した歌唱ユーザーは、携帯端末上で動作するプログラム（アプリ）を使用し、自分の携帯端末をカラオケ装置２に対応付ける。対応付けられた携帯端末は、リモコン装置１と同様、選曲操作を行うことが可能となる。特に、携帯端末においても、投稿されたカラオケ楽曲情報の選曲を行う際、各カラオケ楽曲情報に対し、公開サーバー装置８１から取得した評価情報を合わせて表示することで、選曲の参考とすることが可能である。
【００５９】
以上、本発明の投稿楽曲選曲システムについて各種形態を説明したが、本発明は、図１で説明した楽曲投稿サーバー装置８２を少なくとも含んだ投稿楽曲選曲システムのみならず、リモコン装置１あるいはユーザーが所持する携帯端末で実行され、評価情報を使用してカラオケ楽曲情報の選曲を可能とする投稿楽曲選曲プログラム、あるいは、投稿楽曲選曲方法、そして、カラオケ楽曲情報を管理する楽曲投稿サーバー装置８２も本発明の範疇に属する。
【符号の説明】
【００６０】
１（１ａ、１ｂ）：リモコン装置             ７１ｂ：動画タイトル
２（２ａ〜２ｃ）：カラオケ装置             ７１ｃ：公開者名
５：無線通信装置                           ７１ｄ：再生回数
６：携帯端末                               ７１ｅ：サムネイル画像
６ａ、６ｂ：パーソナルコンピュータ         ７１ｆ：映像表示欄
７：携帯情報端末                           ７１ｇ：再生ツール
１１：表示部                               ７１ｈ：公開情報欄
１２：ビデオＲＡＭ                         ７１ｉ：評価情報
１３：映像制御部                           ７１ｊ：再生回数
１４：メモリ                               ７１ｋ：段階評価
１５：制御部                               ７１ｍ：コメント欄
１６：無線ＬＡＮ通信部                     ８１：公開サーバー装置
１７：操作部                               ８２：楽曲投稿サーバー装置
１８：操作処理部                           ９２：ルータ
２１：操作部                               １０１：ユーザー切り替えボタン
２２：操作処理部                           １０２：ゲストボタン
２４：ＬＡＮ通信部                         １０３：ログインユーザー欄
２５：音響制御部                           １０３ａ〜１０３ｅ：分身像
２７：メモリ                               １０４：メニュー表示欄
２８：ビデオＲＡＭ                         １０５：検索項目選択ボタン
２９：映像再生部                           １０６：選曲欄
３０：制御部                               １０６ａ：カラオケ楽曲関連情報
３１：映像制御部                           １０６ｂ：サムネイル画像
３２：ハードディスク                       １０６ｃ：評価表示欄
３３：タッチパネルモニタ                   １０７：カラオケ楽曲関連情報
３４：タッチパネル                         １０８：評価表示欄
３５：表示部                               １０９：音程設定欄
３８：記憶手段                             １１０：予約ボタン
４１：モニタ                               １３０：アクセスポイント
４２：スピーカー                           ８２１：制御手段
４４ａ、４４ｂ：マイクロホン               ８２２：記憶手段
７１：ＰＣ表示ウィンドウ                   ８２３：通信手段
７１ａ：検索ワード入力欄
【図１】
0006623842.tif 000002
【図２】
0006623842.tif 000003
【図３】
0006623842.tif 000004
【図４】
0006623842.tif 000005
【図５】
0006623842.tif 000006
【図６】
0006623842.tif 000007
【図７】
0006623842.tif 000008
【図８】
0006623842.tif 000009
【図９】
0006623842.tif 000010
【図１０】
0006623842.tif 000011
【図１１】
0006623842.tif 000012
【図１２】
0006623842.tif 000013